(57)【要約】【課題】巡視点検担当者が現在地周辺の点検対象設備の情報を入手できるようにして効率的に巡視点検を行うことを可能にする。【解決手段】サーバ２は、携帯端末が検出した現在位置情報を受信する受信部（送受信部２０）と、点検対象設備の設備ＩＤと位置情報とが対応付けて記録された設備情報データベース２１と、各点検対象設備の設備ＩＤと過去の点検についての点検日時と点検結果を含んだ点検情報とが対応付けて記録された点検情報データベース２２と、設備情報データベース２１を検索して、現在位置情報に該当するエリア内の点検対象設備を取得する設備情報取得部２６と、点検情報データベース２２を検索して、抽出した点検対象設備の点検情報を取得する点検情報取得部２７と、抽出した点検情報を該当する点検対象設備ＩＤとともに携帯端末に送信する送信部（送受信部２０）とを備える。【選択図】      図１
2007028723.tif 000002
【特許請求の範囲】
【請求項１】
現在位置情報を検出する位置検出手段を有する携帯端末から、前記位置検出手段により検出された現在位置情報を受信する受信部と、
点検対象設備の設備ＩＤと位置情報とが対応付けて記録された設備情報データベースと、
各点検対象設備の設備ＩＤと過去の点検についての点検日時と点検結果とを含んだ点検情報とが対応付けて記録された点検情報データベースと、
前記設備情報データベースを検索して、前記受信した現在位置情報に該当するエリア内の点検対象設備の設備ＩＤを取得する設備情報取得部と、
前記点検情報データベースを検索して、前記抽出した点検対象設備の点検情報を取得する点検情報取得部と、
前記取得した点検情報を該当する点検対象設備の設備ＩＤとともに前記携帯端末に送信する送信部と、を備えることを特徴とする点検工事管理装置。
【請求項２】
相互に通信可能な携帯端末とサーバとにより構成され、
前記携帯端末は、
現在位置情報を検出する現在位置検出手段と、
前記現在位置検出手段により検出した現在位置情報を前記サーバへ送信する送信部とを備え、
前記サーバは、
前記携帯端末から前記現在位置情報を受信する受信部と、
点検対象設備の設備ＩＤと位置情報とが対応付けて記録された設備情報データベースと、
各点検対象設備の設備ＩＤと過去の点検についての点検日時と点検結果とを含んだ点検情報とが対応付けて記録された点検情報データベースと、
前記設備情報データベースを検索して、前記受信した現在位置情報に該当するエリア内の点検対象設備の設備ＩＤを取得するする設備情報取得部と、
前記点検情報データベースを検索して、前記取得した点検対象設備の点検情報を取得する点検情報取得部と、
前記取得した点検情報を該当する点検対象設備の設備ＩＤとともに前記携帯端末に送信する送信部と、を備え
前記携帯端末は、更に、
前記サーバから、前記点検情報及び前記点検対象設備ＩＤを受信する受信部と、
前記受信した点検対象設備のＩＤ及び点検情報を表示する点検情報表示部とを備えることを特徴とする点検工事管理システム。
【請求項３】
前記点検情報表示部は、前記点検対象設備の位置情報に基づいて、地図上の該当位置に当該点検対象設備を表すシンボルを表示することを特徴とする請求項２記載の点検工事管理システム。
【請求項４】
前記サーバは、前記点検情報に含まれる最新の点検日時に基づいて、各設備について点検工事の要否を判定する点検工事要否判定部を備え、
前記サーバの送信部は、前記点検工事要否判定部による判定結果を前記携帯端末へ送信することを特徴とする請求項２又は３記載の点検工事管理システム。
【請求項５】
前記点検情報表示部は、点検対象設備を、当該設備についての点検要否の判定結果に応じた態様のシンボルで表示することを特徴とする請求項４記載の点検工事管理システム。
【請求項６】
前記携帯端末は、今回の点検工事の結果の入力を受け付ける点検工事入力部を更に備え、
前記携帯端末の送信部は、入力された点検工事の結果をサーバへ送信することを特徴とする請求項２から５のうち何れか１項記載の点検工事管理システム。
【請求項７】
前記携帯端末の送信部は、前記位置検出手段で検出される現在位置情報に基づき、別のエリアに移動したと判断された場合に、点検工事の結果を前記サーバへ自動的に送信することを特徴とする請求項６記載の点検工事管理システム。
【請求項８】
前記サーバは、前記受信した現在位置情報に基づいて前記携帯端末が別のエリアに移動したと判定された場合に、前記設備情報取得部が当該別のエリアについて点検対象設備の設備ＩＤを取得すると共に、前記点検情報取得部が当該設備ＩＤに該当する点検情報を取得し、前記送信部がそれらの設備ＩＤ及び点検情報を前記携帯端末へ送信することを特徴とする請求項２から７のうち何れか１項記載の点検工事管理システム。
【請求項９】
現在位置情報を検出する現在位置検出手段を有する携帯端末と、
各種の点検対象設備について、設備ＩＤと位置情報とが対応付けて記録された設備情報データベースと、各点検対象設備の設備ＩＤと過去の点検について点検日時と点検結果を含んだ点検データとが対応付けて記録された点検情報データベースとを備えるサーバとにより、点検工事を管理する方法であって、
前記携帯端末が、前記現在位置検出手段により検出した現在位置情報を前記サーバへ送信し、
前記サーバが、
前記携帯端末から前記現在位置情報を受信し、
前記設備情報データベースを検索して、前記受信した現在位置情報に該当するエリア内の点検対象設備を取得し、
前記点検情報データベースを検索して、前記取得した点検対象設備の点検情報を取得し、
前記取得した点検情報を該当する点検対象設備の設備ＩＤとともに前記携帯端末に送信し、
前記携帯端末が、前記サーバから受信した点検対象設備のＩＤ及び点検情報を表示することを特徴とする点検工事管理方法。
【発明の詳細な説明】
【技術分野】
【０００１】
本発明は、巡視点検担当者が効率よく点検工事を行えるようにするための点検工事管理装置、点検工事管理システム及び点検工事管理方法に関する。
【背景技術】
【０００２】
例えば電力会社では、電線や変圧器等の配電設備のメンテナンス等のため、これらの配電設備を対象とした点検工事が定期的に行われている。この際、巡視点検担当者は点検対象となる設備の位置に基づき予め巡回ルートを設定し、そのルート近傍の設備を点検対象設備として出力してから、巡視点検を行っている。
【０００３】
このような巡視点検を効率よく行うため、例えば特許文献１には、点検対象設備情報を地図情報に重ね合わせて、巡視点検担当者の携帯する端末に表示するようにしたシステムが記載されている。
【特許文献１】特開２００４−２２９４５６号公報
【発明の開示】
【発明が解決しようとする課題】
【０００４】
しかし、例えば巡視点検中に緊急業務等が入った場合など、計画していた巡回ルートから離れなければならないことがある。このような場合に、上記特許文献１のシステムでは巡視点検担当者の現在位置付近の設備の情報を表示できないので、現在位置周辺に未点検の点検対象設備があったとしても、担当者はそのことを知ることができない。このため、担当者は、当初に計画していたルートに戻って点検作業を継続せざるを得ず、非効率であった。
【０００５】
そこで、本発明の目的は、巡視点検担当者が現在地周辺の点検対象設備の情報を入手可能にする点検工事管理装置、点検工事管理システム及び点検工事管理方法を提供することである。
【課題を解決するための手段】
【０００６】
本発明の点検工事管理装置は、現在位置情報を検出する位置検出手段を有する携帯端末から、前記位置検出手段により検出された現在位置情報を受信する受信部と、点検対象設備の設備ＩＤと位置情報とが対応付けて記録された設備情報データベースと、各点検対象設備の設備ＩＤと過去の点検についての点検日時と点検結果とを含んだ点検情報とが対応付けて記録された点検情報データベースと、前記設備情報データベースを検索して、前記受信した現在位置情報に該当するエリア内の点検対象設備の設備ＩＤを取得する設備情報取得部と、前記点検情報データベースを検索して、前記抽出した点検対象設備の点検情報を取得する点検情報取得部と、前記取得した点検情報を該当する点検対象設備の設備ＩＤとともに前記携帯端末に送信する送信部と、を備えることを特徴とする。
【０００７】
また、本発明の点検工事管理システムは、相互に通信可能な携帯端末とサーバとにより構成され、前記携帯端末は、現在位置情報を検出する現在位置検出手段と、前記現在位置検出手段により検出した現在位置情報を前記サーバへ送信する送信部とを備え、前記サーバは、前記携帯端末から前記現在位置情報を受信する受信部と、点検対象設備の設備ＩＤと位置情報とが対応付けて記録された設備情報データベースと、各点検対象設備の設備ＩＤと過去の点検についての点検日時と点検結果とを含んだ点検情報とが対応付けて記録された点検情報データベースと、前記設備情報データベースを検索して、前記受信した現在位置情報に該当するエリア内の点検対象設備の設備ＩＤを取得するする設備情報取得部と、前記点検情報データベースを検索して、前記取得した点検対象設備の点検情報を取得する点検情報取得部と、前記取得した点検情報を該当する点検対象設備の設備ＩＤとともに前記携帯端末に送信する送信部と、を備え、前記携帯端末は、更に、前記サーバから、前記点検情報及び前記点検対象設備ＩＤを受信する受信部と、前記受信した点検対象設備のＩＤ及び点検情報を表示する点検情報表示部とを備えることを特徴とする。
【０００８】
ここで、前記点検情報表示部は、前記点検対象設備の位置情報に基づいて、地図上の該当位置に当該点検対象設備を表すシンボルを表示してもよい。さらに、前記点検工事管理サーバは前記点検情報に含まれる最新の点検日時に基づいて、各設備について点検工事の要否を判定する点検工事要否判定部を備え、前記サーバの送信部は、前記点検工事要否判定部による判定結果を前記携帯端末へ送信してもよい。
【０００９】
また、前記点検情報表示部は、点検対象設備を、当該設備についての点検要否の判定結果に応じた態様のシンボルで表示してもよい。また、前記携帯端末は、今回の点検工事の結果の入力を受け付ける点検工事入力部を更に備え、前記携帯端末の送信部は、入力された点検工事の結果をサーバへ送信してもよい。
【００１０】
また、前記携帯端末の送信部は、前記位置検出手段で検出される現在位置情報に基づき、別のエリアに移動したと判断された場合に、点検工事の結果を前記サーバへ自動的に送信してもよい。
【００１１】
さらに、前記サーバは、前記受信した現在位置情報に基づいて前記携帯端末が別のエリアに移動したと判定された場合に、前記設備情報取得部が当該別のエリアについて点検対象設備の設備ＩＤを取得すると共に、前記点検情報取得部が当該設備ＩＤに該当する点検情報を取得し、前記送信部がそれらの設備ＩＤ及び点検情報を前記携帯端末へ送信してもよい。
【００１２】
以上の点検工事管理システムによれば、巡視点検担当者が緊急の作業等で予定の巡回ルートと離れた地域にいる場合でも、現在の位置の近くの点検対象設備の情報を得ることができるので、予定の巡回ルートに戻る必要がなく、効率のよい点検作業を行うことができる。
【００１３】
さらに、本発明は、現在位置情報を検出する現在位置検出手段を有する携帯端末と、各種の点検対象設備について、設備ＩＤと位置情報とが対応付けて記録された設備情報データベースと、各点検対象設備の設備ＩＤと過去の点検について点検日時と点検結果を含んだ点検データとが対応付けて記録された点検情報データベースとを備えるサーバとにより、点検工事を管理する方法であって、前記携帯端末が、前記現在位置検出手段により検出した現在位置情報を前記サーバへ送信し、前記サーバが、前記携帯端末から前記現在位置情報を受信し、前記設備情報データベースを検索して、前記受信した現在位置情報に該当するエリア内の点検対象設備を取得し、前記点検情報データベースを検索して、前記取得した点検対象設備の点検情報を取得し、前記取得した点検情報を該当する点検対象設備の設備ＩＤとともに前記携帯端末に送信し、前記携帯端末が、前記サーバから受信した点検対象設備のＩＤ及び点検情報を表示することを特徴とする点検工事管理方法も含むものとする。
【発明の効果】
【００１４】
本発明によれば、予めルートを定めておかなくても、巡視点検担当者が現在地の周辺の設備の情報を入手できるので、効率良く点検作業を行うことができる。
【発明を実施するための最良の形態】
【００１５】
以下、本発明の一実施形態について図面に基づき説明する。
図１は、本実施形態にかかる点検工事管理システム１の構成図である。同図に示すように、点検工事管理システム１は、サーバ２と、携帯端末３と、ネットワーク４により構成される。サーバ２は送受信部２０と、設備情報データベース２１と、設備情報取得部２６と、点検情報データベース２２と、点検情報取得部２７と、設計情報データベース２３と、設計情報取得部２８と、停電情報データベース２４と、停電情報取得部２９と、気象データベース２５と、気象データ取得部３０と、点検工事要否判定部３１とを備えている。
【００１６】
設備情報データベース２１には、各種設備について、設備ＩＤと、これに対応する位置情報を含む設備情報が記録されている。設備情報取得部２６は設備情報データベース２１を参照して、これらの設備情報を取得する。
【００１７】
点検情報データベース２２には設備ＩＤと、各設備ＩＤに該当する設備について過去に行われた点検について点検日時及び点検結果を含む点検情報が記録されている。点検情報取得部２７は点検情報データベース２２を参照して、これらの点検情報を取得する。
【００１８】
設計情報データベース２３には、新たに設置される設備の情報や各設備に関する工事情報等の設計情報が記録されている。設計情報取得部２８は設計情報データベース２３を参照して、これらの設計情報を取得する。
【００１９】
停電情報データベース２４には、過去の停電情報に関する情報が記録されている。停電情報取得部２９は停電情報データベース２４を参照して、各設備の停電情報に関する情報を取得する。
【００２０】
気象データベース２５には、地域毎の現在の気象を表す気象情報が記録されている。気象データ取得部３０は、気象データベース２５を参照して、指定された地域の気象情報を取得する。
【００２１】
点検工事要否判定部３１は、点検情報取得部２７が取得した各設備の点検情報に基づき、それらの設備に点検工事を実施する必要があるか否かを判定する。
また、送受信部２０は、ネットワーク４を介して、携帯端末３と通信する。
【００２２】
携帯端末３は、例えばＰＤＡや携帯電話等の巡視点検担当者が巡視作業中に携帯可能な端末であり、送受信部４０と、現在位置情報検出手段としてのＧＰＳ（Ｇｌｏｂａｌ  Ｐｏｓｉｔｉｏｎｉｎｇ  Ｓｙｓｔｅｍ）４１と、点検工事情報入力部４２と、点検情報表示部４３とを備えている。ＧＰＳ４１は現在位置情報を取得して、その位置情報を送受信部４０に供給する。点検工事情報入力部４２は、巡視点検担当者から、点検対象の設備及びその点検結果に関する情報の入力を受け付ける。点検情報表示部４３は、携帯端末３がサーバ２から受信した点検対象設備のＩＤ、点検データ、点検結果、地図情報等を表示する。
【００２３】
次に、図２のフローチャートを参照して、巡視点検を行う際の点検工事管理システム１における処理の流れについて説明する。
まず、携帯端末３のＧＰＳ４１が現在地の位置情報を取得する（Ｓ１０１）。ＧＰＳ４１で取得された位置情報は、携帯端末３の送受信部４０よりサーバ２へ送信される（Ｓ１０２）。サーバ２の送受信部２０はこの位置情報を受信し（Ｓ１０３）、設備情報取得部２６は、受信した位置情報に基づき設備情報データベース２１を参照して、現在位置近傍（例えば現在地より所定距離以内等）の点検対象設備の設備ＩＤ及びその位置情報を取得する（Ｓ１０４）。
【００２４】
次に、点検情報取得部２７が、点検情報データベース２２を参照して、取得した設備ＩＤに該当する設備について、過去に行われた点検工事の日時及び工事内容等の点検情報を取得する（Ｓ１０５）。次に、設計情報取得部２８が、設計情報データベース２３を参照して、この設備ＩＤに該当する工事予定等の設計情報を取得する（Ｓ１０６）。また、停電情報取得部２９が、停電情報データベース２４を参照して、取得した設備ＩＤに対応する点検対象設備の停電情報を取得する（Ｓ１０７）。そして、気象データ取得部３０が、気象データベースを参照してこの設備ＩＤに該当点検対象設備の所在地における気象データを取得する（Ｓ１０８）。
【００２５】
次に、点検工事要否判定部３１が、Ｓ１０４で取得した現在地周辺の各点検対象設備について、Ｓ１０５で取得した過去の点検情報に含まれる最新の点検日時に基づいて点検工事が必要か否かを判定する（Ｓ１０９）。具体的には、例えば、過去所定期間（例えば１年あるいは半年など）以内に点検工事が行われていなければ、点検工事が必要と判断する。そして、Ｓ１０４〜Ｓ１０８で取得された各情報及びＳ１０９での点検要否判定結果が、送受信部２０より携帯端末３へ送信される（Ｓ１１０）。
【００２６】
次に、携帯端末３の送受信部４０が、上記Ｓ１１０で送られてきた情報を受信する（Ｓ１１１）。そして、点検情報表示部４３が、受信した点検対象設備の位置情報に基づいて、地図上の該当位置に、各設備を表すシンボルを点検工事の要否に応じた態様で表示する（Ｓ１１２）。図３は、点検情報表示部４３による表示画面の一例を示す図である。同図において、点検工事が必要な設備は白丸で表示され、点検工事が不要な設備は黒丸で表示されている。ただし、この表示は一例であって、点検工事の要否が判別できる態様で表示が行われればよい。巡視点検担当者は、このような表示に基づき現在位置周辺の点検が必要な設備を知ることができ、効率良く巡視点検することが可能になる。
【００２７】
また、点検情報表示部４３に表示された地図上で設備の表示がクリックされると、過去の点検工事の詳細な情報、設計情報、停電情報、気象データ等が表示される（Ｓ１１３）。図４は、点検対象設備の過去の点検の日時や点検工事の結果の表示の一例である。巡視点検担当者は点検対象設備のこれらの情報に基づき点検工事を行う。
【００２８】
点検工事の終了後、巡視点検担当者は、点検情報表示部４３より今回の点検工事結果を入力する（Ｓ１１４）。そして、周辺の点検が必要な全ての設備について点検工事結果が入力されている場合には（Ｓ１１５でＹＥＳ）、入力された点検工事結果は送受信部４０よりサーバ２へ自動的に送信される（Ｓ１２０）。
【００２９】
また、周囲に点検が必要な設備が残っている場合には（Ｓ１１５でＮＯ）、点検結果送信ボタンを押すことで（Ｓ１１６でＹＥＳ）、入力された点検工事結果がサーバ２へ送信される（Ｓ１２０）。
【００３０】
また、点検結果送信ボタンを押されない場合に（Ｓ１１６でＮＯ）、新たな設備情報を取得すべき旨の操作が行われたならば（Ｓ１１７でＹＥＳ）、入力された点検工事結果はサーバ２へ送信される（Ｓ１２０）。
【００３１】
また、携帯端末３は、ＧＰＳ４１により検出された現在位置情報に基づいて、巡視点検担当者が別のエリアへ移動したと判定される場合には（Ｓ１１８でＹＥＳ）、入力された点検工事結果はサーバ２へ自動送信される（Ｓ１２０）。この場合、サーバ２は、上記Ｓ１０３〜Ｓ１１０の処理により、移動先の新たなエリアについて該当する点検対象設備の情報等を携帯端末３へ送信する。これにより、巡視点検担当者は、移動先のエリアにおいて新たに点検対象設備を把握して、引き続き点検作業を行うことができる。
また、巡視担当者が別のエリアへ移動していない場合には（Ｓ１１８でＮＯ）、点検工事結果の入力が行われた設備を工事済み（工事不要）の状態に変更し、Ｓ１１２に戻る。これにより、点検工事結果が入力された設備が、工事不要を示すシンボル（本実施形態では黒丸）で表示されることになる。
【００３２】
携帯端末３の送受信部４０よりサーバ２へ送信された点検工事結果は、サーバ２の送受信部２０が受信し（Ｓ１２１）、これらの点検工事結果は点検情報データベース２２に記録される（Ｓ１２２）。
【００３３】
以上説明した点検工事管理システム１によれば、巡視点検担当者が、例えば、緊急業務等のため、予定していた巡回地域と異なる地域に移動した場合にも、その移動先の現在地周辺の点検対象設備の情報を取得することができるため、点検作業をより効率的に行うことができる。
【００３４】
また、巡視点検担当者は現在のエリアから別のエリアへ移動した場合には、それまでの点検結果がサーバ２へ自動送信されると共に、サーバ２から携帯端末３へ移動先の新たなエリアの点検対象設備の情報が送られるので、効率よく点検作業を継続することができる。
【図面の簡単な説明】
【００３５】
【図１】本実施形態にかかる点検工事管理システムの構成図である。
【図２】点検工事管理システムにおける処理の流れを表すフローチャートである。
【図３】点検情報表示部による表示画面の一例を示す図である。
【図４】点検対象設備の過去の点検情報の表示画面の一例を示す図である。
【符号の説明】
【００３６】
１  点検工事管理システム            ２  サーバ
３  携帯端末                        ４  ネットワーク
２０  送受信部                      ２１  設備情報データベース
２２  点検情報データベース          ２３  設計情報データベース
２４  停電情報データベース          ２５  気象データベース
２６  設備情報取得部                ２７  点検情報取得部
２８  設計情報取得部                ２９  停電情報取得部
３０  気象データ取得部              ３１  点検工事要否判定部
４０  送受信部                      ４１  ＧＰＳ
４２  点検工事情報入力部            ４３  点検情報表示部
【図１】
2007028723.tif 000003
【図２】
2007028723.tif 000004
【図３】
2007028723.tif 000005
【図４】
2007028723.tif 000006